(57)【要約】【課題】肩腱板断裂患者の術後装具として、簡単な構成で、極めて軽量で、水濡れ可能、コンパクト収納をも可能とする。【解決手段】軸方向に貫通孔11を有する円筒形状の合成樹脂製の本体部10と、その両端部が着脱自在の合成樹脂製の肩掛けベルト部材12及び上腕部拘束ベルト部材15と、内部にエアーを封入した柔軟で変形可能なクッション部材20とから成る。本体部10の貫通孔11に肩掛けベルト部材12と上腕部拘束ベルト部材15を挿通して、本体部10の外周にはクッション部材20を巻回して装着する。患者の手術後の肩部の下方脇下部にクッション部材20が巻回された本体部10を配置し、肩掛けベルト部材12は他方の非治療肩部に掛け渡すことにより肩関節を所定角度に維持することができ、上腕部拘束ベルト部材15は上腕部の動きを制約できる。【選択図】図１
0003162853.tif 000002
【実用新案登録請求の範囲】
【請求項１】
略筒形状の本体部(10)と、この本体部(10)に設けられた肩掛けベルト部材(12)及び上腕部拘束ベルト部材(15)と、本体部(10)に巻回されたクッション部材(20)とからなり、
肩腱板断裂患者等の手術後の肩部の下方脇下部に前記本体部(10)を配置し、肩掛けベルト部材(12)は他方の非治療肩部に掛け渡すことにより、肩関節を所定角度に維持することができ、
上腕部拘束ベルト部材(15)は手術後肩部側の上腕部の動きを制約することができる肩関節外転装具。
【請求項２】
前記本体部(10)は軸方向に貫通孔を有する円筒形状のものからなり、肩掛けベルト部材(12)及び上腕部拘束ベルト部材(15)はそれぞれその両端部が着脱自在のものからなり、
これら肩掛けベルト部材(12)及び上腕部拘束ベルト部材(15)のそれぞれを、前記本体部(10)の貫通孔(11)に挿通させて相互に連結できることを特徴とする請求項１に記載の肩関節外転装具。
【請求項３】
前記クッション部材(20)が、内部にエアーを封入した柔軟で変形可能な合成樹脂製のマット状のものからなり、前記本体部(10)の周りに巻回して着脱自在に装着できることを特徴とする請求項１又は２に記載の肩関節外転装具。
【請求項４】
軸方向に貫通孔(11)を有する円筒形状の合成樹脂製の本体部(10)と、その両端部が着脱自在で長さ調整が可能な合成樹脂製の肩掛けベルト部材(12)及び上腕部拘束ベルト部材(15)と、内部にエアーを封入した柔軟で変形可能な合成樹脂製のマット状のもので、前記本体部(10)の外周に着脱自在に巻回することができるクッション部材(20)とからなり、
前記本体部(10)の貫通孔(11)に肩掛けベルト部材(12)と上腕部拘束ベルト部材(15)を挿通し、本体部(10)の外周にはクッション部材(20)を巻回して装着し、
肩腱板断裂患者等の手術後の肩部の下方脇下部に前記クッション部材(20)が巻回された本体部(10)を配置し、肩掛けベルト部材(12)は他方の非治療肩部に掛け渡すことにより、肩関節を所定角度に維持することができ、
上腕部拘束ベルト部材(15)は手術後の肩部側の上腕部の動きを制約することができる肩関節外転装具。
【考案の詳細な説明】
【技術分野】
【０００１】
本考案は、例えば肩腱板断裂患者の縫合手術後、肩関節の動きを抑制・制御するために使用する術後装具となる肩関節外転装具に関するものである。
【背景技術】
【０００２】
肩腱板損傷・断裂患者の場合、その腱板の縫合手術を行う必要があり、手術後には一定期間の安静とリハビリ等が必要となる。
その際に、肩関節を所定の状態に維持するための術後装具が必要となり、本考案はこの術後装具として極めて簡易な肩関節外転装具を提供するものである。
従来のこの種の装具としては、以下の特許文献に記載のものを挙げることができる。
【０００３】
この文献に記載の発明は、例えば、関節上腕の脱旧ならびに亜脱旧の治療、関節包内偏位の治療、術後の回旋筋腱板の修復、術後のバンカート法、および軟組織の挫傷ならびに修復のための肩吊り包帯に関するものである。
この肩吊り包帯には、装着者の胴に接する支持ピローと、装着者の腕を受け入れるポーチとが開示され、複数のストラップが、患者の非治療肩からピローとポーチとを吊るしている。ストラップのうち１つは、ピローが使用者に対して移動するのを防止して、装着者の腕を所望の外転角および外旋角で確実に維持するものである。
【先行技術文献】
【特許文献】
【０００４】
【特許文献１】特表２００７−５０５６５１号公報
【考案の概要】
【考案が解決しようとする課題】
【０００５】
上記従来の装具では、その構成が極めて複雑で、肩関節及び腕部を所定の角度で堅固に固定してしまうものである。
本考案においては、取り分け肩腱板断裂患者の術後装具として開発されたもので、その最低限の効果を有しつつ、即ち、肩関節の所定方向の動きを制御するという効果を有しつつ、より簡易な構成から成り、極めて軽量であって、患者がお風呂やシャワーを利用する際にも、この装具を装着したままの状態で利用可能となることをその第一の課題としている。
また、患者の体型や身長等に応じて、容易に装着状態を変更できること、不使用時には分解もでき、その収納体積をも小さくできることも本考案の課題となる。
更には、衛生面をも考慮に入れ、分解、洗浄等をも容易になすことができることもその課題となる。
【課題を解決するための手段】
【０００６】
上記課題を解決するために、本考案の第１のものは、略筒形状の本体部と、この本体部に設けられた肩掛けベルト部材及び上腕部拘束ベルト部材と、本体部に巻回されたクッション部材とからなり、肩腱板断裂患者等の手術後の肩部の下方脇下部に前記本体部を配置し、肩掛けベルト部材は他方の非治療肩部に掛け渡すことにより、肩関節を所定角度に維持することができ、上腕部拘束ベルト部材は手術後肩部側の上腕部の動きを制約することができる肩関節外転装具である。
【０００７】
本考案の第２のものは、上記第１の考案において、前記本体部は軸方向に貫通孔を有する円筒形状のものからなり、肩掛けベルト部材及び上腕部拘束ベルト部材はそれぞれその両端部が着脱自在のものからなり、これら肩掛けベルト部材及び上腕部拘束ベルト部材のそれぞれを、前記本体部の貫通孔に挿通させて相互に連結できることを特徴とする肩関節外転装具である。
【０００８】
本考案の第３のものは、上記第１又は第２の考案において、前記クッション部材が、内部にエアーを封入した柔軟で変形可能な合成樹脂製のマット状のものからなり、前記本体部の周りに巻回して着脱自在に装着できることを特徴とする肩関節外転装具である。
【０００９】
本考案の第４のものは、軸方向に貫通孔を有する円筒形状の合成樹脂製の本体部と、その両端部が着脱自在で長さ調整が可能な合成樹脂製の肩掛けベルト部材及び上腕部拘束ベルト部材と、内部にエアーを封入した柔軟で変形可能な合成樹脂製のマット状のもので、前記本体部の外周に着脱自在に巻回することができるクッション部材とからなり、前記本体部の貫通孔に肩掛けベルト部材と上腕部拘束ベルト部材を挿通し、本体部の外周にはクッション部材を巻回して装着し、肩腱板断裂患者等の手術後の肩部の下方脇下部に前記クッション部材が巻回された本体部を配置し、肩掛けベルト部材は他方の非治療肩部に掛け渡すことにより、肩関節を所定角度に維持することができ、上腕部拘束ベルト部材は手術後の肩部側の上腕部の動きを制約することができる肩関節外転装具である。
【考案の効果】
【００１０】
本考案の第１のものにおいては、略筒形状の本体部と、この本体部に設けられた肩掛けベルト部材及び上腕部拘束ベルト部材と、本体部に巻回されたクッション部材とからなり、  肩腱板断裂患者等の手術後の肩部の下方脇下部に前記本体部を配置し、肩掛けベルト部材は他方の非治療肩部に掛け渡すことにより、肩関節を体の側方側で所定角度分だけ上方に維持することができ、極めて簡易な構成によって術後装具を提供することができる。
また上腕部拘束ベルト部材は術後肩部側の上腕部の体の側方側における上方方向への動きを制約することができるものとなる。
【００１１】
本考案の第２のものにおいては、本体部として、軸方向に貫通孔を有する円筒形状のものを使用し、肩掛けベルト部材及び上腕部拘束ベルト部材はそれぞれその両端部が着脱自在のものからなるために、これら肩掛けベルト部材及び上腕部拘束ベルト部材のそれぞれを、上記本体部の貫通孔に挿通させて相互に連結できることとなる。
これにより、両ベルト部材を本体部と着脱自在とすることができ、不使用時にはこれらを分離して収納等することができる。
【００１２】
本考案の第３のものにおいては、クッション部材が、内部にエアーを封入した柔軟で変形可能な合成樹脂製のマット状のものを使用し、本体部の周りに巻回して着脱自在に装着することができることとなる。
これにより、クッション部材も分解可能となり、構成部材の全てを分離して容易に洗浄、消毒及び収納することが可能となる。
【００１３】
本考案の第４のものにおいては、その全ての構成部材を合成樹脂製とし、且つ分離、結合可能としたため、不使用時には小さく収納可能となる。
また両ベルト部材の長さ調整も可能であるために、患者の体型や身長等に適合させることができる。
更には、お風呂やシャワー利用時にも本考案に係る装具をそのまま装着した状態で利用することも可能となる。
勿論、その構成部材の全てを分離して洗浄、消毒等も容易に可能となるものである。
【図面の簡単な説明】
【００１４】
【図１】本考案の肩関節外転装具に係る一実施形態の全体斜視図である。
【図２】上記実施形態に係る肩関節外転装具の各構成部材を分離して図示した状態の説明図である。
【図３】上記実施形態に係る肩関節外転装具の使用状態の正面側からの説明図である。
【図４】上記実施形態に係る肩関節外転装具の使用状態の側面側からの説明図である。
【考案を実施するための形態】
【００１５】
以下、添付の図面と共に本考案の実施形態について説明する
図１は、本考案の肩関節外転装具に係る一実施形態の全体斜視図である。
本体部１０は、硬質合成樹脂製の円筒形状のものからなり、その軸方向（長手方向）には貫通孔１１が設けられている。
この貫通孔１１には、肩掛けベルト部材１２と上腕部拘束ベルト部材１５とが挿通されている。
更に、本体部１０の外周部には、クッション部材２０が巻回されている。
このように、本考案は、本体部１０、肩掛けベルト部材１２、上腕部拘束ベルト部材１５、及びクッション部材２０とからなり、これらをそれぞれ分離して収納し且つ結合して肩関節外転装具として使用することができるものである。
【００１６】
図２は、前記各構成部材を分離して図示した状態の説明図である。
本体部１０は、その長手方向長さが約２５ｃｍ程度、その外径が約８ｃｍ程度の円筒形状の硬質合成樹脂製のものから形成されている。
肩掛けベルト部材１２は、軟質合成樹脂製の横幅が約４ｃｍ程度のもので、その両端部に係合雄部１３と係合雌部１４とが設けられており、これらは相互にワンタッチ式に係合・離脱できる合成樹脂製バックルからなる。
【００１７】
更にこの肩掛けベルト部材１２の適宜位置には、この肩掛けベルト部材１２を本体部１０の貫通孔１１に挿通した際に、このベルト部材１２が貫通孔１１内部で移動しないように、固定部材１８が設けられている。
この固定部材１８の素材は、前記肩掛けベルト部材１２と同様のベルト部材を用い、その中間部を肩掛けベルト部材１２に接合し、その両端部には留めホック１８ｈ、１８ｉを設けたものから構成されている。
これによって、肩掛けベルト部材１２を本体部１０の貫通孔１１内に挿通して、この固定部材１８を前記貫通孔１１の両端開口部から外側に回して相互にその端部の止めホック１８ｈ、１８ｉを係止することによって、肩掛けベルト部材１２が本体部１０に取り付けられることとなる。
【００１８】
上腕部拘束ベルト部材１５も、その構成は、上記肩掛けベルト部材１２と全く同様であり、その長さが短く設定されたものである。
この上腕部拘束ベルト部材１５にも、同様の固定部材１９が設けられ、その両端部には、上記肩掛けベルト部材１２と同様に止めホック１９ｈ、１９ｉが設けられ、これらを相互に係止することにより、本体部１０に取り付けられることとなる。
これら固定部材１８、１９は、任意の構成である。
【００１９】
クッション部材２０は、丁度空気枕と同様の構成から成るものである。
即ち、柔軟な合成樹脂製のシート体を用いて、内部に複数の袋状の空間部２０ｓ、２０ｓ、…を列設したものからなり、両側に設けられた止めホック２０ｈ、２０ｉを相互に係止することによって、円筒状に巻回することができる。
これにより、このクッション部材２０を本体部１０の回りに巻回して、両側の端縁部の止めホック２０ｈ、２０ｉを係止して、取り付けることができる。
上記構成部材を適宜結合し、組み合わせることにより、図１に図示した状態となる。
【００２０】
図３は、上記実施形態に係る肩関節外転装具の使用状態の正面側からの説明図であり、図４がその側面側からの説明図である。
図１に図示した通りに結合され、組み立てられると、手術が行われた肩関節の下方から脇の下へと上方に向かって、肩掛けベルト部材２０を把持し、本体部１０を脇の下部へ移行させて行く。
その際に腕部を上腕部拘束ベルト部材１５とクッション部材２０との間に挿通させる。
肩掛けベルト部材１２を頭部の上方を通過させて他方の非治療肩部に掛止させる。
以上により、本考案に係る肩関節外転装具が装着される。
図３及び図４共に、上記装着が完了した状態を図示したものである。
【００２１】
以上、本考案の一実施形態について説明したが、本考案においては以下の通り種々設計変更が可能である。
先ず、本考案においては、その素材とそのサイズは自由に設計変更可能である。
但し、装着したままお風呂やシャワー利用を可能とするためには、重量や衛生面をも考慮に入れてその全てを合成樹脂製にすることが望ましい。
【００２２】
本体部の形状も、上記実施形態のように円筒形状でなくとも実施可能であり、その軸方向に貫通孔が無い、中実のものを使用することもできる。この場合には、本体部の両端面に肩掛けベルト部材及び上腕部拘束ベルト部材の両ベルト部材を固定すればよい。
本体部の筒状体の断面形状も円形でなく、楕円形、矩形、多角形等々、種々の形状に設計変更することができる。
両ベルト部材には、その両端部に合成樹脂製のワンタッチ式バックルを使用したが、この係止部材も自由に選択することができる。要は着脱可能に係止できるものであればよい。
上記実施形態では、これら係止部材の連結部でベルト部材の長さ調整を行っているが、両ベルト部材の中間部に長さ調節部材を設けることも可能である。
【００２３】
クッション部材もエアーを封入・排出可能な形式のものを使用したが、エアーが排出できないものであっても良く、またエアー以外の弾力性と柔軟性を有する素材からなるものを封入したり、柔軟性素材からなるものを本体部に巻回することも可能である。
クッション部材の両側縁部に設けた止めホックもその他の係止手段、例えば面ファスナー等、自由に選択することができる。
以上、本考案は、簡易な構成にして、その重量も極めて軽量なものとし、そのままお風呂やシャワー等も利用可能で、洗浄等をも可能とした極めて著大な効果を発揮する肩腱板断裂患者の術後用装具を提供することができた。
【符号の説明】
【００２４】
１０  本体部
１１  貫通孔
１２  肩掛けベルト部材
１３  係合雄部
１４  係合雌部
１５  上腕部拘束ベルト部材
１８、１９  固定部材
２０  クッション部材
【図１】
0003162853.tif 000003
【図２】
0003162853.tif 000004
【図３】
0003162853.tif 000005
【図４】
0003162853.tif 000006